(57)【要約】【課題】テレビジョン装置１０とＢＤプレーヤ２０とがＨＤＭＩ接続された後でテレビジョン装置１０の表示用のフレームレートに変更が生じた場合に、正しい映像遅延量をＢＤプレーヤ２０に取得させる。【解決手段】テレビジョン装置１０に入力された映像のフレームレートを表示用のフレームレートに変換する映像処理部１３と、映像処理部１３の出力する映像を画面に表示する映像表示部１４と、テレビジョン装置１０における映像入力から画面への映像表示までのタイムラグを表す映像遅延量１８ａを記憶したＥＤＩＤ記憶部１８と、表示用のフレームレートが変更されると変更後の表示用のフレームレートに基づいて決定される映像遅延量をＥＤＩＤ記憶部１８に記憶させ、その後、ＢＤプレーヤ２０と接続するＨＤＭＩ伝送路をリセットすることにより映像遅延量１８ａをＢＤプレーヤ２０に再取得させる。【選択図】図４
2012090006.tif 000002
【特許請求の範囲】
【請求項１】
デジタルもしくはアナログの音声出力端子を備える映像出力装置に所定のデータ通信ケーブルを介して接続された映像表示装置において、
当該映像表示装置に入力された映像のフレームレートを表示用のフレームレートに変換して画面に表示する映像表示部と、
当該映像表示装置における映像入力から上記画面への映像表示までのタイムラグを表す映像遅延量を記憶した映像遅延量記憶部と、
上記表示用のフレームレートが変更されると変更後の表示用のフレームレートに基づいて決定される映像遅延量を上記映像遅延量記憶部に記憶させ、その後、上記映像出力装置に上記所定のデータ通信ケーブルを介して上記映像遅延量記憶部から上記映像遅延量を再取得させるための所定の制御を行う制御部と、
とを備えることを特徴とする映像表示装置。
【請求項２】
上記映像出力装置と上記映像表示装置はＨＤＭＩ（登録商標）（High-Definition Multimedia Interface）に対応しており、
上記データ通信ケーブルはＨＤＭＩケーブルであり、
上記映像出力装置と上記映像表示装置とは上記ＨＤＭＩケーブルを介して接続される請求項１に記載の映像表示装置。
【請求項３】
上記映像遅延量記憶部は、ＥＤＩＤ（Extended display identification data）を記憶するＥＤＩＤ記憶部であり、
上記制御部は、上記映像出力装置と上記映像表示装置との間のＨＤＭＩ伝送路をリセットすることにより、上記映像出力装置に上記所定のデータ通信ケーブルを介して上記映像遅延量記憶部から上記映像遅延量を再取得させる請求項２に記載の映像表示装置。
【請求項４】
ユーザーの操作入力により上記表示用のフレームレートが変更されると、上記映像表示部は映像のフレームレートをユーザーにより変更された表示用のフレームレートに変更して変更後の映像を上記画面に表示し、上記制御部はユーザーにより変更された表示用のフレームレートに基づいて決定される映像遅延量を上記映像遅延量記憶部に記憶させ、その後、上記映像出力装置に上記所定のデータ通信ケーブルを介して上記映像遅延量記憶部から上記映像遅延量を再取得させるための所定の制御を行う請求項２または請求項３に記載の映像表示装置。
【請求項５】
上記映像表示部は、上記表示用のフレームレートの変更、上記映像遅延量の書き換えおよび上記ＨＤＭＩ伝送路のリセットの少なくとも１つを通知する表示を上記画面に行う請求項２〜請求項４の何れか１項に記載の映像表示装置。
【請求項６】
上記映像表示装置に入力される映像中に表示用のフレームレートが設定されている場合は、上記映像表示部は当該映像のフレームレートを当該映像中に設定された表示用のフレームレートに変更して変更後の映像を上記画面に表示し、上記制御部は当該映像中に設定された表示用のフレームレートに基づいて決定される映像遅延量を上記映像遅延量記憶部に記憶させ、その後、上記映像出力装置に上記所定のデータ通信ケーブルを介して上記映像遅延量記憶部から上記映像遅延量を再取得させるための所定の制御を行う請求項１〜請求項５の何れか１項に記載の映像表示装置。
【請求項７】
上記映像表示装置は、光デジタルケーブルを介してアンプに接続された映像出力装置にＨＤＭＩ（登録商標）（High-Definition Multimedia Interface）ケーブルを介して接続されたテレビジョン装置であって、
上記映像遅延量記憶部は、ＥＤＩＤ（Extended display identification data）を記憶するＥＤＩＤ記憶部であり、
上記制御部は、
ユーザーの操作入力により上記表示用のフレームレートが変更されると、上記映像表示部は映像のフレームレートをユーザーにより変更された表示用のフレームレートに変更して変更後の映像を上記画面に表示し、上記制御部はユーザーにより変更された表示用のフレームレートに基づいて決定される映像遅延量を上記映像遅延量記憶部に記憶させ、その後、上記ＨＤＭＩケーブルにより上記映像表示装置と上記映像出力装置との間に形成されたＨＤＭＩ伝送路をリセットすることにより上記映像出力装置に上記映像遅延量記憶部から上記映像遅延量を再取得させ、
上記映像表示装置に入力される映像中に表示用のフレームレートが設定されている場合は、上記映像表示部は当該映像のフレームレートを当該映像中に設定された表示用のフレームレートに変更して変更後の映像を上記画面に表示し、上記制御部は当該映像中に設定された表示用のフレームレートに基づいて決定される映像遅延量を上記映像遅延量記憶部に記憶させ、その後、上記ＨＤＭＩケーブルにより上記映像表示装置と上記映像出力装置との間に形成されたＨＤＭＩ伝送路をリセットすることにより上記映像出力装置に上記映像遅延量記憶部から上記映像遅延量を再取得させ、
上記映像表示部は、上記表示用のフレームレートの変更、上記映像遅延量の書き換えおよび上記ＨＤＭＩ伝送路のリセットの少なくとも１つを通知する表示を上記画面に行う請求項１に記載の映像表示装置。
【発明の詳細な説明】
【技術分野】
【０００１】
本発明は、映像表示装置に関し、特に、スピーカに接続された音声出力端子を備える映像出力装置に対し、デジタル信号伝送ケーブルを介して接続された映像表示装置に関する。
【背景技術】
【０００２】
ＨＤＭＩでは、ＨＤＭＩ１．３から、ＬｉｐＳｙｎｃ、ｘｙＹＣＣ、ＤｅｅｐＣｏｌｏｒ等の制御情報がサポートされている。これらの制御情報は、テレビ受信機等のシンク機器側にあるＥＤＩＤ（Extended display identification data）ＲＯＭ（Read Only Memory）に格納されている。シンク機器に接続されたＢＤプレーヤ等のソース機器は、シンク機器のＥＤＩＤＲＯＭから制御情報を取得して、この制御情報に応じて最適な信号をシンク機器に送信する。なお、ＬｉｐＳｙｎｃは音声遅延制御に関する情報であり、ｘｙＹＣＣは受信可能な拡張色空間に関する情報であり、ＤｅｅｐＣｏｌｏｒは受信できる色深度に関する情報である。
【０００３】
ここで、いわゆるＬｉｐＳｙｎｃと呼ばれる音声遅延制御は各種の技術が知られている。
特許文献１には、ソース機器（ディスクレコーダ等）からＨＤＭＩを介して映像と音声の供給を受けているシンク機器（テレビ受信機等）が映像を画面に表示しつつ音声を他の外部機器（アンプ等）に出力している場合に、シンク機器に表示される画像の遅延時間と音声の伝送に要する時間とに基づいて算出した遅延時間を、他の外部機器（アンプ等）に送信することにより、他の外部機器（アンプ等）で画像の遅延に同期するように音声を遅延出力できるようにする技術が開示されている。
特許文献２には、ＭＰＥＧ２デコーダで基準同期信号に同期した映像／音声を出力させたときに出力映像に発生するフレームシンクロナイザによる遅延を解消するために、内蔵フレームシンクロナイザによる映像遅延を算出し、この算出した映像の遅延量だけ音声の出力を遅延させる技術が開示されている。
特許文献３には、映像再生装置と音声再生装置とが別々にネットワークに接続されているシステム構成において、音声再生装置におけるデコードのタイミングを制御する音声側クロック信号をネットワークを介して映像再生装置に送信し、映像再生装置では音声再生装置から送信された音声側クロック信号に応じてデコードのカウント値を調整することが開示されている。
特許文献４には、映画等を再生するにあたり、映像の再生場所から離れた場所にあるスピーカに音声を送信する場合に、一定の周期時間内に記録媒体から２倍速で２回の映像音響情報を読み出し、１回目の読出しで得られた映像音響情報の音声データを抽出してスピーカへの送信を開始し、２回目の読み出しで得られた映像音響情報の映像データを抽出して映像の表示を開始することにより、映像と音声の容易に同期する技術が開示されている。
【先行技術文献】
【特許文献】
【０００４】
【特許文献１】ＷＯ２００８／０５６７０９号公報
【特許文献２】特開２００８−１５３９４５号公報
【特許文献３】特開２００９−２７２９４５号公報
【特許文献４】特開２００４−２０１０２２号公報
【発明の概要】
【発明が解決しようとする課題】
【０００５】
しかしながら、上述した技術においては、映像の表示に関わる機器において映像の表示に要する映像遅延が、何らかの理由により変更される可能性については考慮されていなかった。
【０００６】
本発明は、上記課題に鑑みてなされたものであり、映像出力装置と接続された映像表示装置において、映像出力装置の出力する映像を映像表示装置の画面に表示する際に発生する映像遅延量を、映像出力装置に接続された映像表示装置以外の機器に映像出力装置が出力する音声に対して適切に反映させることが可能な、映像表示装置の提供を目的とする。
【課題を解決するための手段】
【０００７】
上記課題を解決するために、本発明の請求項１にかかる発明では、デジタルもしくはアナログの音声出力端子を備える映像出力装置に所定のデータ通信ケーブルを介して接続された映像表示装置において、当該映像表示装置に対して入力された映像のフレームレートを表示用のフレームレートに変換して画面に表示する映像表示部と、当該映像表示装置における映像入力から上記画面への映像表示までのタイムラグを表す映像遅延量を記憶した映像遅延量記憶部と、上記表示用のフレームレートが変更されると変更後の表示用のフレームレートに基づいて決定される映像遅延量を上記映像遅延量記憶部に記憶させ、その後、上記映像出力装置に上記所定のデータ通信ケーブルを介して上記映像遅延量記憶部から上記映像遅延量を再取得させるための所定の制御を行う制御部と、とを備える構成としてある。
【０００８】
当該構成によれば、フレームレートの変更により上記映像遅延量が変更されたときに、映像遅延量を上記映像出力装置に再取得させる所定の制御を適切なタイミングで行うことができるため、映像出力装置は最新の映像遅延量を常に保持することができる。よって、例えば上記映像出力装置が音声を上記音声出力端子に接続された機器に対して出力しつつ映像を上記映像表示装置に出力している最中に、上記映像表示装置の表示用のフレームレートが変更されることにより映像遅延量が変更された場合であっても、映像出力装置は、上記音声出力端子に出力する音声を上記映像遅延量に基づいて遅延出力することが出来るため、音声と映像表示装置の画面に表示される映像とを同期させることができる。
【０００９】
本発明の選択的な一態様として、上記映像出力装置と上記映像表示装置はＨＤＭＩ（登録商標）（High-Definition Multimedia Interface）に対応しており、上記データ通信ケーブルはＨＤＭＩケーブルであり、上記映像出力装置と上記映像表示装置とは上記ＨＤＭＩケーブルを介して接続される構成としてある。
【００１０】
本発明の選択的な一態様として、上記映像遅延量記憶部は、ＥＤＩＤ（Extended display identification data）を記憶するＥＤＩＤ記憶部であり、上記制御部は、上記映像出力装置と上記映像表示装置との間のＨＤＭＩ伝送路をリセットすることにより、上記映像出力装置に上記所定のデータ通信ケーブルを介して上記映像遅延量記憶部から上記映像遅延量を再取得させる構成としてある。
【００１１】
本発明の選択的な一態様として、ユーザーの操作入力により上記表示用のフレームレートが変更されると、上記映像表示部は、映像のフレームレートをユーザーにより変更された表示用のフレームレートに変更して変更後の映像を上記画面に表示し、上記制御部は、ユーザーにより変更された表示用のフレームレートに応じた映像遅延量を上記映像遅延量記憶部に記憶させ、その後、上記映像出力装置に上記所定のデータ通信ケーブルを介して上記映像遅延量記憶部から上記映像遅延量を再取得させるための所定の制御を行う構成としてある。
【００１２】
本発明の選択的な一態様として、上記映像表示部は、上記表示用のフレームレートの変更、上記映像遅延量の書き換えおよび上記ＨＤＭＩ伝送路のリセットの少なくとも１つを通知する表示を上記画面に行う構成としてある。
【００１３】
本発明の選択的な一態様として、上記映像表示装置に入力される映像中に表示用のフレームレートが設定されている場合は、上記映像表示部は、当該映像のフレームレートを当該映像中に設定された表示用のフレームレートに変更して変更後の映像を上記画面に表示し、上記制御部は、当該映像中に設定された表示用のフレームレートに応じた映像遅延量を上記映像遅延量記憶部に記憶させ、その後、上記映像出力装置に上記所定のデータ通信ケーブルを介して上記映像遅延量記憶部から上記映像遅延量を再取得させるための所定の制御を行う構成としてある。
【００１４】
本発明の選択的な一態様として、
上記映像表示装置は、光デジタルケーブルを介してアンプに接続された映像出力装置にＨＤＭＩ（登録商標）（High-Definition Multimedia Interface）ケーブルを介して接続されたテレビジョン装置であって、
上記映像遅延量記憶部は、ＥＤＩＤ（Extended display identification data）を記憶するＥＤＩＤ記憶部であり、
上記制御部は、
ユーザーの操作入力により上記表示用のフレームレートが変更されると、上記映像表示部は映像のフレームレートをユーザーにより変更された表示用のフレームレートに変更して変更後の映像を上記画面に表示し、上記制御部はユーザーにより変更された表示用のフレームレートに基づいて決定される映像遅延量を上記映像遅延量記憶部に記憶させ、その後、上記ＨＤＭＩケーブルにより上記映像表示装置と上記映像出力装置との間に形成されたＨＤＭＩ伝送路をリセットすることにより上記映像出力装置に上記映像遅延量記憶部から上記映像遅延量を再取得させ、
上記映像表示装置に入力される映像中に表示用のフレームレートが設定されている場合は、上記映像表示部は当該映像のフレームレートを当該映像中に設定された表示用のフレームレートに変更して変更後の映像を上記画面に表示し、上記制御部は当該映像中に設定された表示用のフレームレートに基づいて決定される映像遅延量を上記映像遅延量記憶部に記憶させ、その後、上記ＨＤＭＩケーブルにより上記映像表示装置と上記映像出力装置との間に形成されたＨＤＭＩ伝送路をリセットすることにより上記映像出力装置に上記映像遅延量記憶部から上記映像遅延量を再取得させ、
上記映像表示部は、上記表示用のフレームレートの変更、上記映像遅延量の書き換えおよび上記ＨＤＭＩ伝送路のリセットの少なくとも１つを通知する表示を上記画面に行う構成としてある。
【発明の効果】
【００１５】
以上説明したように本発明によれば、映像出力装置と接続された映像表示装置において、映像出力装置の出力する映像を映像表示装置の画面に表示する際に発生する映像遅延量が変更された場合であっても、映像出力装置に接続された映像表示装置以外の機器に映像出力装置が出力する音声に対して、その変動後の映像遅延量を適切に反映させることが可能な映像表示装置を提供することができる。
請求項２にかかる発明によれば、ＨＤＭＩにより本発明を実現することが出来る。
請求項３にかかる発明によれば、フレームレートの変更に応じて変更された映像遅延量を映像出力装置に容易に取得させることができる。
請求項４にかかる発明によれば、ユーザーの操作入力により変更されたフレームレートに応じて変更される映像遅延量を、適切に映像出力装置に取得させることができる。
請求項５にかかる発明によれば、映像遅延量の変更に伴って発生する画面の乱れをユーザーに通知することができる。
請求項６にかかる発明によれば、映像中に指示されたフレームレートの変更に応じて変更される映像遅延量を、適切に映像出力装置に取得させることができる。
請求項７にかかる発明によれば、デフォルトのフレームレートが変更されたときに、適切な映像遅延量を映像出力装置に取得させることができる。
請求項８にかかる発明によれば、一時的にフレームレートが変更されたときにも、適切な映像遅延量を映像出力装置に取得させることができる。
なお、請求項９のような、より具体的な構成において、上述した請求項１〜請求項８の各発明と同様の作用を奏することはいうまでもない。
【図面の簡単な説明】
【００１６】
【図１】実施形態にかかるＨＤＭＩネットワークの構成を示すブロック図である。
【図２】テレビジョン装置の構成を示すブロック図である。
【図３】ＢＤプレーヤの構成を示すブロック図である。
【図４】映像遅延量更新処理の流れを示すフローチャートである。
【発明を実施するための形態】
【００１７】
以下、下記の順序に従って本発明の実施形態を説明する。
（１）本実施形態の構成：
（２）映像遅延量更新処理：
（３）まとめ：
【００１８】
（１）本実施形態の構成： 
まず、図１を参照して、本実施形態にかかる映像表示装置を含んで構成されるホームシアターシステムの構成について説明する。同図に示すホームシアターシステム１００では、シンク機器としてのテレビジョン装置１０とソース機器としてのＢＤプレーヤ２０とがＨＤＭＩ（登録商標）（High-Definition Multimedia Interface）ケーブルＣ１を介して接続されており、ＢＤプレーヤ２０とアンプ３０とが光デジタルケーブルＣ２で接続されている。
【００１９】
ＢＤプレーヤ２０は、ＨＤＭＩケーブルＣ１を介してテレビジョン装置１０とＨＤＭＩ規格に準拠した通信が可能であり、ＢＤ（Blue Ray Disc）やＤＶＤ（Digital Versatile Disc）やＣＤ（Compact Disc）等の記憶媒体から読み出した映像データや音声データをテレビジョン装置１０に送信したり、ＣＥＣコマンドを送受信したりすることができる。テレビジョン装置１０は、ＢＤプレーヤ２０から映像データを入力されると、当該映像データに基づいて画面に映像を表示（再生）する。すなわち、本実施形態においてはテレビジョン装置１０が映像表示装置を構成し、ＢＤプレーヤ２０が映像出力装置を構成する。なお、本実施形態においては、ＨＤＭＩケーブルＣ１が所定のデータ通信ケーブルを構成する。
【００２０】
ＢＤプレーヤ２０は、ＳＰＤＩＦ等の光デジタルケーブルＣ２を介してアンプ３０と接続されており、ＢＤから読み出した音声データをアンプ３０に出力させることができる。スピーカ４０は、ＢＤプレーヤ２０から音声データを入力されると、当該音声データに基づいて音声を再生する。なお、本実施形態では、ＢＤプレーヤ２０とアンプ３０とを接続するケーブルを光デジタルケーブルＣ２としたが、むろんアナログケーブルであっても良く、アナログケーブルで接続する場合はデータ再生部２３から音声を出力するデジタル音声出力端子２５もアナログ音声出力端子とし、適宜に音声出力回路等を配置することになる。
【００２１】
なお、映像表示装置は、外部から入力された映像データに基づいて再生した映像を画面に表示することが可能であればいかなる機器であってもよく、液晶テレビジョン装置やプラズマテレビジョン装置はもちろんのこと、テレビ機能の無い液晶ディスプレイ装置やプラズマディスプレイ等の表示装置であってもよい。また、映像表示装置そのものが映像を表示する機能を備えていなくてもよく、例えば、映像表示装置に外部接続された他のディスプレイ等を駆動することにより、当該他のディスプレイに画像を表示する機器であってもよい。
また、ＢＤプレーヤ２０とアンプ３０とを接続するケーブルは、ＬｉｐＳｙｎｃに対応したＨＤＭＩケーブル等のケーブルを除けば、いかなるケーブルで接続されていてもよく、同軸ケーブル等の他のデジタル通信用のケーブルでもよいし、アナログ通信用のケーブルであってもよい。
【００２２】
次に、図２を参照してテレビジョン装置１０の電気的な構成を説明する。テレビジョン装置１０は、テレビジョン装置１０の全体を制御する制御部１１と、テレビ放送を受信して映像データや音声データを抽出するテレビ放送受信部１２と、映像データに各種の画像処理を行う映像処理部１３と、映像データに基づく映像を画面に表示する映像表示部１４と、不揮発性メモリー１５と、ユーザーがテレビジョン装置１０に対して各種の操作入力を行うための操作部１６と、ＨＤＭＩレシーバ１７と、ＥＤＩＤ記憶部１８とを備えている。
【００２３】
テレビ放送受信部１２は、アンテナ等を介して受信したテレビ放送からユーザーの選択チャンネルに対応する映像データや音声データを抽出して出力する。テレビ放送受信部１２の受信するテレビ放送は、いかなるものであってもよく、地上アナログ放送、地上デジタル放送、衛星放送、ケーブルテレビ放送等が例示される。テレビ放送受信部１２は、映像データを映像処理部１３に出力し、音声データを不図示の光デジタル音声出力端子に出力したり、不図示の音声出力回路に出力してスピーカやアナログ音声出力端子に出力させる。
【００２４】
不揮発性メモリー１５は、例えば磁気的記録媒体、光学的記録媒体、若しくは半導体メモリで構成されている。不揮発性メモリー１５は、テレビジョン装置１０のメニュー画面等から設定可能な各種設定の設定データが記憶されており、たとえばフレームレート設定１５ａが記憶されている。フレームレート設定１５ａは映像表示部１４の画面に表示する映像のフレームレートであり、例えば、１倍（６０Ｈｚ）、２倍（１２０Ｈｚ）、４倍（２４０Ｈｚ）のように設定することができる。フレームレート設定１５ａは、後述のＦＲＣ部１３ａがフレームレート制御を行うときに参照される。フレームレート設定１５ａは、例えば上述のメニュー画面を表示させてユーザーが所定の操作入力を操作部１６に対して行うことにより、変更することができる。
【００２５】
映像処理部１３は、テレビ放送受信部１２がテレビ放送から抽出した映像データやＨＤＭＩレシーバ１７が受信した映像データは映像処理部１３に入力される。映像処理部１３は、映像データに各種の画像処理を行って映像表示部１４に出力する。ここで、映像処理部１３は、画像処理を行う構成として、少なくともフレームレートコントロール部１３ａ（ＦＲＣ部１３ａ）とオンスクリーンディスプレイ部１３ｂ（ＯＳＤ部１３ｂ）とを備える。
【００２６】
ＦＲＣ部１３ａは、入力された映像データの周波数（Ｈｚ）を、出力すべき映像の周波数（Ｈｚ）に適合させる処理を行う。出力すべき映像の周波数は、不揮発性メモリー１５のフレームレート設定１５ａ、映像データの中に設定されているフレームレート設定、外部機器から所定のコマンド等により指定されたフレームレート設定、等によって設定される。
【００２７】
ＦＲＣ部１３ａは、入力された映像データから所定数のフレームをＦＲＣメモリー１３ａ１にバッファーし、出力すべき映像のフレームレート（Ｈｚ／ｆｐｓ）に適合するように、フレームの補充や間引きを行う。例えば、ＦＲＣの周波数として１倍（６０Ｈｚ）と２倍（１２０Ｈｚ）と４倍（２４０Ｈｚ）の何れかを選択可能な場合を想定する。このとき、入力された映像データが６０ｆｐｓであり、フレームレート設定が１倍（６０Ｈｚ）の場合は、フレームを補充する必要がないためＦＲＣによる遅延はほぼ無いものとみなせる。一方、入力された映像データが６０ｆｐｓであり、フレームレート設定が４倍（２４０Ｈｚ）の場合は、１フレームを４フレームに変更するために例えば３フレームを補充する処理が必要となる。このフレームを補充する処理により映像の遅延が発生する。ＦＲＣによって発生する映像遅延量は、入力される映像データのフレームレートと出力する映像のフレームレートとの組合せにより、テーブルや計算式により得ることができる。
【００２８】
ＯＳＤ部１３ｂは、例えば制御部１１から入力される制御信号に従って、映像表示部１４に所定のＯＳＤ表示(オンスクリーンディスプレイ表示)をさせるためのＯＳＤ信号を、テレビ放送受信部１２やＨＤＭＩレシーバ１７等から映像処理部１３に出力される映像データに合成（重畳）する。
【００２９】
映像表示部１４は、映像処理部１３の出力する映像データに基づいてテレビジョン装置１０の画面に映像を表示する。映像表示部１４は、ディスプレイと、このディスプレイを駆動するためのディスプレイドライバーとを備える、映像表示部１４に入力された映像データに基づいてディスプレイドライバーがディスプレイを駆動することにより画面に映像が表示される。すなわち、ユーザーの選択したチャンネルのテレビ放送の映像が映像表示部１４の画面に表示されたり、ＢＤプレーヤ２０からＨＤＭＩケーブルＣ１を介して入力された映像が画面に表示されたりする。
【００３０】
ＨＤＭＩレシーバは、ＨＤＭＩケーブルＣ１を介して入力されるストリームデータに基づいて映像データや音声データを再生する
【００３１】
ＥＤＩＤ記憶部１８は、ＥＤＩＤ（Extended display identification data）を格納するための不揮発性の記憶媒体である。ＥＤＩＤ記憶部１８には、テレビジョン装置１０の性能に関する情報が記憶されており、例えば、対応する画像フォーマット（ＲＧＢ，ＹＣｂＣｒ４：４：４，ＹＣｂＣｒ４：２：２等）や、映像を映像表示部１４の画面に表示するまでに要する時間を示す映像遅延量１８ａ等が記憶されている。なお、本実施形態においては、ＥＤＩＤ記憶部１８が映像遅延量記憶部を構成する。
【００３２】
次に、図３を参照してＢＤプレーヤの構成について説明する。同図に示すように、ＢＤプレーヤ２０は、ＢＤプレーヤの全体を制御する制御部２１と、ＢＤやＤＶＤ、ＣＤ等の記憶媒体からデータを読み出すディスクドライブ２２と、ディスクドライブ２２から出力されるデータに所定のファイル形式(例えばＭＰＥＧ２（Moving Picture Experts Group phase 2）形式等）に応じた処理を施すことによって、当該テレビジョン放送信号を音声データと映像データとに分離してデコードするデータ再生部２３と、ＨＤＭＩトランスミッタ２４と、ＳＰＤＩＦ（Sony Philips Digital Interface）等のデジタル音声出力端子２５と、を備えている。
【００３３】
制御部２１は、ＨＤＭＩインターフェースを介して、ＨＤＭＩケーブルにより接続された他の機器との間でＨＤＭＩ規格に準拠した通信を行うことができる。例えば、図１，２では制御部２１はテレビジョン装置１０と接続されており、テレビジョン装置１０のＥＤＩＤ記憶部１８に記憶されている映像遅延量１８ａとＳＵＭ値１８ｂを取得することが出来る。なお、制御部２１は、ＨＤＭＩ規格に基づいて、テレビジョン装置１０にＢＤプレーヤ２０が接続されたときに、これら映像遅延量１８ａ、ＳＵＭ値を取得するようになっている。
【００３４】
ＨＤＭＩトランスミッタ２４は、映像や音声のデータをＨＤＭＩ規格で定められた所定のデータ構造を有するストリームデータに変換し、ＨＤＭＩケーブルＣ１を介して出力する。具体的には、ＨＤＭＩトランスミッタ２４は、データ再生部２３の再生した映像データをＨＤＭＩ規格で定められた所定のデータ構造を有するストリームデータに変換し、ＨＤＭＩケーブルＣ１を介してテレビジョン装置１０に出力する。すると、テレビジョン装置１０側のＨＤＭＩレシーバ１７がこれを受信し、ストリームデータから映像データを復元する。
【００３５】
データ再生部はＳＰＤＩＦ等の光デジタル音声出力端子を介してアンプ３０と接続されており、ディスクドライブ２２にセットされたディスク状記録媒体からデータ再生部２３が読み出した音声データを、アンプ３０へ出力することができる。その際、データ再生部２３は、制御部２１の制御に従って、音声を遅延出力することが出来る。例えば、ＢＤプレーヤ２０においてディスクドライブ２２から読み出した映像と音声のデータを再生するにあたり、映像データに基づく映像をテレビジョン装置１０に表示させつつ音声データに基づく音声をアンプ３０に再生させる場合は、制御部２１がテレビジョン装置１０から取得した映像遅延量に基づいてアンプ３０に出力する音声データを遅延させる。ただし、上述したように制御部２１は、ＥＤＩＤ記憶部１８から映像遅延量１８ａやＳＵＭ値１８ｂを取得する処理を、機器をＨＤＭＩ接続した直後にしか行わない。従って、ＨＤＭＩ接続した後で映像遅延量に変更が発生すると、音声データの遅延出力を正確に行うことが出来なくなる。このような問題を解消するために、映像遅延量を正しくＢＤプレーヤ２０にセットするための処理について、以下で説明する。
【００３６】
（２）映像遅延量更新処理： 
図４は、制御部１１の実行する映像遅延量更新処理の流れを示すフローチャートである。映像遅延量更新処理は、制御部１１において所定の周期で繰り返し実行されている。
【００３７】
映像遅延量更新処理においては、まず、映像遅延量１８ａを変動させるトリガーイベントが発生したか否かを判断する（Ｓ１００）。本実施形態におけるトリガーイベントは、ＦＲＣ（Frame Rate Control）の周波数に変更を発生するイベントであり、例えば、操作部１６にユーザーが所定の操作をおこなうことでＦＲＣの周波数に関する設定変更、ＨＤＭＩケーブルＣ１やその他の映像データ入力端子（不図示）から入力された映像信号においてＦＲＣの周波数が設定されていること、等である。制御部１１は、トリガーイベントを検出しないときは映像遅延量更新処理をいったん終了する（Ｓ１００：Ｎｏ）。
【００３８】
トリガーイベントを検出すると（Ｓ１００：Ｙｅｓ）、制御部１１は、トリガーイベントによって変更された映像遅延量１８ａを取得する（Ｓ１１０）。まず、制御部１１は、変更されたＦＲＣの周波数を取得する。次に、この変更されたＦＲＣによって発生する映像遅延量をテーブルからもしくは計算式に基づいて取得し、さらにＦＲＣ以外の要因（映像処理部１３の他の処理や各伝送経路において発生する遅延等）によって発生する映像遅延も考慮して、最終的に映像表示部１４の画面に表示される映像に発生する映像遅延量１８ａを取得する。
【００３９】
次に、制御部１１は、取得した映像遅延量１８ａのＳＵＭ値１８ｂを作成する（Ｓ１２０）。このＳＵＭ値１８ｂは、チェックサムであり、映像遅延量１８ａを取得した機器が映像遅延量１８ａのデータエラーの有無を確認するための値である。
【００４０】
次に、制御部１１は、ＥＤＩＤ記憶部１８の映像遅延量１８ａとＳＵＭ値１８ｂとを、ステップＳ１２０で作成した値で書き換えて記憶する（Ｓ１３０）。外部機器は、映像データを当該テレビジョン装置１０へ出力しつつ音声データを他の機器へ出力する際に、ＨＤＭＩケーブルＣ１を介してＥＤＩＤ記憶部１８にアクセスして映像遅延量１８ａを取得し、音声データの出力タイミングを映像遅延量１８ａに応じて遅延させることにより、映像データが再生されるタイミングと音声データが再生されるタイミングとを一致させることができる。このとき、映像遅延量１８ａは、いわゆるＬｉｐＳｙｎｃとして機能する。
【００４１】
次に、制御部１１は、テレビジョン装置１０とＢＤプレーヤ２０との間に形成されているＨＤＭＩ伝送路をリセットする（Ｓ１４０）。ＨＤＭＩ伝送路がリセットされると、ＢＤプレーヤ２０は、ＨＤＭＩケーブルＣ１を介して所定のＣＥＣコマンドをテレビジョン装置１０に送信することにより、ＥＤＩＤ記憶部１８に記憶されているＥＤＩＤを再取得する。ＢＤプレーヤ２０は、映像遅延量１８ａを再取得すると、この映像遅延量１８ａに応じた遅延を音声に発生させるために必要なバッファーを確保する。そして、ＢＤプレーヤ２０は、音声出力を実行するにあたり、バッファーを利用することにより音声の出力タイミングを遅延させる。よって、映像と音声の出力タイミングを最適化することができる。
【００４２】
なお、テレビジョン装置１０においてＨＤＭＩ経由で入力された映像を表示しているとき（ユーザーが視聴中）に映像遅延量更新処理を実行する場合は、その旨を画面に表示することが好ましい。映像遅延量１８ａが変更されたりＨＤＭＩ伝送路がリセットされることにより、映像や音声に影響が生じるためである。例えば、ＢＤプレーヤ２０から入力された映像データに基づいて映像を画面に表示している場合は、ＯＳＤ部１３ｂを制御することにより、映像や音声に乱れが発生することの通知画像を映像に合成（重畳）させる。これにより、ユーザービリティが向上する。
【００４３】
（３）まとめ： 
以上説明した実施形態によれば、デジタル音声出力端子２５を備えるＢＤプレーヤ２０にＨＤＭＩケーブルＣ１を介して接続されたテレビジョン装置１０において、テレビジョン装置１０に入力された映像のフレームレートを表示用のフレームレートに変換する映像処理部１３と、映像処理部１３の出力する映像を画面に表示する映像表示部１４と、テレビジョン装置１０における映像入力から画面への映像表示までのタイムラグを表す映像遅延量１８ａを記憶したＥＤＩＤ記憶部１８と、表示用のフレームレートが変更されると変更後の表示用のフレームレートに基づいて決定される映像遅延量をＥＤＩＤ記憶部１８に記憶させ、その後、ＢＤプレーヤ２０と接続するＨＤＭＩ伝送路をリセットすることにより映像遅延量１８ａをＢＤプレーヤ２０に再取得させる。よって、テレビジョン装置１０とＢＤプレーヤ２０とがＨＤＭＩ接続された後に、テレビジョン装置１０の表示用のフレームレートに変更が生じても、正しい映像遅延量をＢＤプレーヤ２０に取得させることが可能となり、ＢＤプレーヤ２０がデジタル音声出力端子２５から出力する音声を正しい遅延量で遅延出力することが出来る。
【００４４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４５】
１０…テレビジョン装置、１１…制御部、１２…テレビ放送受信部、１３…映像処理部、１３ａ…ＦＲＣ部、１３ａ…フレームレートコントロール部、１３ｂ…オンスクリーンディスプレイ部、１３ａ１…ＦＲＣメモリー、１４…映像表示部、１４…テレビジョン装置、１５…不揮発性メモリー、１５ａ…フレームレート設定、１６…操作部、１７…ＨＤＭＩレシーバ、１８…ＥＤＩＤ記憶部、２０…ＢＤプレーヤ、２１…制御部、２２…ディスクドライブ、２３…データ再生部、２４…ＨＤＭＩトランスミッタ、２５…デジタル音声出力端子、３０…アンプ、４０…スピーカ、１００…ホームシアターシステム、Ｃ１…ＨＤＭＩケーブル
【図１】
2012090006.tif 000003
【図２】
2012090006.tif 000004
【図３】
2012090006.tif 000005
【図４】
2012090006.tif 000006